(57)【要約】【課題】歪んでいる可能性がある画像を表示しない共焦点内視鏡を得る。【解決手段】Ｚ方向に進退するプローブ内光ファイバ２０２は、機械的誤差などの原因により、中心軸ＡＸ上を正確に進退できず、中心軸ＡＸと僅かなずれを生じながら進退する。このずれを補正せずに作成された三次元共焦点画像は、歪みを持つおそれがある。歪んだ画像を見た観察者が患部を見逃したり、あるいは正常な部位を患部と誤って認識したりすると、誤診をする可能性がある。そこで、ずれを考慮して画像を補正する。しかしながら、この補正処理は、映像信号処理回路１１６の処理能力と計算期間とを必要とする。そこで、補正処理を行う期間において、映像信号処理回路１１６は他の処理を一時的に中止、あるいは三次元共焦点画像をモニタ３００に表示せずに、ずれ補正処理のみを実行する。【選択図】図１
2015077199.tif 000002
【特許請求の範囲】
【請求項１】
各々光軸方向に沿って進退自在に構成される、対物光学系と、当該対物光学系の焦点位置に配設され二次光源及びピンホールとして機能する光ファイバ端面と、を有し、被写体からの光を受光する共焦点光学ユニットと、
前記共焦点光学ユニットからの光に基づき得られた画像データを補正する処理部と、
外部から操作されることにより入力された命令を前記処理部に伝達する操作部と、を備え、
前記操作部は、前記処理部が前記画像データの補正を開始してから終了するまで前記処理部に前記命令を伝達しない共焦点内視鏡システム。
【請求項２】
前記処理部が前記画像データを補正することにより作成した補正画像データ及び前記画像データに対応する画像を表示する表示部をさらに備え、
前記表示部は、前記処理部が前記画像データの補正を開始してから終了するまで前記画像を非表示としまたは当該画像を更新しない請求項１に記載の共焦点内視鏡システム。
【請求項３】
前記処理部は、前記対物光学系と前記光ファイバ端面の光軸方向における相対位置に応じて前記画像データを補正する請求項１又は２に記載の共焦点内視鏡システム。
【請求項４】
前記処理部は、前記相対位置に対応する補正データを有し、前記補正データを用いて前記画像データを補正する請求項３に記載の共焦点内視鏡システム。
【請求項５】
前記処理部は、前記共焦点光学ユニットが前記光軸方向に移動し始めたときから移動し終えるまで他の処理を行わない請求項１から４のいずれかに記載の共焦点内視鏡システム。
【請求項６】
前記処理部は、前記画像データの補正を開始してから終了するまで他の処理を行わない請求項１から５のいずれかに記載の共焦点内視鏡システム。
【発明の詳細な説明】
【技術分野】
【０００１】
本発明は、共焦点光学系を有する走査型共焦点内視鏡システムに関する。
【背景技術】
【０００２】
断層画像を得ることを目的とした共焦点光学系を有した共焦点内視鏡システムが知られている。共焦点光学系は、レーザ光を体腔内の観察対象物に照射して、観察対象物からの反射光もしくは観察対象物の自家蛍光のうち、対物光学系の物体側焦点面における光のみを抽出することを特徴とする。共焦点内視鏡システムは、共焦点光学系を光軸上で進退させることにより観察対象物の断層画像を取得する（特許文献１）。
【先行技術文献】
【特許文献】
【０００３】
【特許文献１】特開２０１２−１４８０６２号公報
【発明の概要】
【発明が解決しようとする課題】
【０００４】
しかしながら、光ファイバを完全に光軸と一致させて移動させることは困難であるため、光ファイバと光軸との位置関係が、光軸と垂直に交わる方向に対し、移動前と移動後とにおいて僅かにずれることがある。このずれが光ファイバを介して取得される画像に必要な位置情報にずれを生じさせ、このずれにより最終的に生成される画像が歪んでしまうおそれがある。このような歪みを持つ可能性がある画像を何ら補正せずにモニタ上に表示すると、精度の高い観察、診断に支障をきたしかねない。
【０００５】
本発明はこれらの問題に鑑みてなされたものであり、共焦点光学系の光軸に沿った移動に起因して歪んでいる可能性がある画像をそのままの状態、つまり補正をかけない状態で観察者に認識させない共焦点内視鏡システムを得ることを目的とする。
【課題を解決するための手段】
【０００６】
本願発明による共焦点内視鏡システムは、各々光軸方向に沿って進退自在に構成される、対物光学系と、当該対物光学系の焦点位置に配設され二次光源及びピンホールとして機能する光ファイバ端面と、を有し、被写体からの光を受光する共焦点光学ユニットと、共焦点光学ユニットからの光に基づき得られた画像データを補正する処理部と、外部から操作されることにより入力された命令を処理部に伝達する操作部と、を備え、操作部は、処理部が画像データの補正を開始してから終了するまで処理部に命令を伝達しないことを特徴とする。
【０００７】
処理部が画像データを補正することにより作成した補正画像データ及び画像データに対応する画像を表示する表示部をさらに備え、表示部は、処理部が画像データの補正を開始してから終了するまで画像を非表示としまたは当該画像を更新しないことが好ましい。
【０００８】
処理部は、対物光学系と光ファイバ端面の光軸方向における相対位置に応じて画像データを補正することが好ましい。
【０００９】
処理部は、相対位置に対応する補正データを有し、補正データを用いて画像データを補正することが好ましい。
【００１０】
処理部は、共焦点光学ユニットが光軸方向に移動し始めたときから移動し終えるまで他の処理を行わないことが好ましい。
【００１１】
処理部は、画像データの補正を開始してから終了するまで他の処理を行わないことが好ましい。
【発明の効果】
【００１２】
本発明によれば、共焦点光学系の光軸に沿った移動に起因して歪んでいる可能性がある画像をそのままの状態、つまり補正をかけない状態では観察者に認識させない共焦点内視鏡システムを得る。
【図面の簡単な説明】
【００１３】
【図１】共焦点内視鏡システムを示すブロック図である。
【図２】内視鏡の遠位端部の一部を概略的に示した断面図である。
【図３】表示処理を示したフローチャートである。
【発明を実施するための形態】
【００１４】
以下、本発明の一実施形態による内視鏡システム１について添付図面を参照して説明する。
【００１５】
まず、図１を用いて内視鏡システム１の概略について説明する。内視鏡システム１は、光走査型共焦点内視鏡システムであり、プロセッサ１００、共焦点プローブ２００、及びモニタ（表示部）３００を主に備える。内視鏡システム１は、可撓性を有する管状の共焦点プローブ２００の先端面を被写体に当て付けた状態で共焦点観察を行う。
【００１６】
プロセッサ１００は、光源１０２、光分波合波器（フォトカプラ）１０４、ダンパ１０６、ＣＰＵ１０８、ＣＰＵメモリ１１０、プロセッサ内光ファイバ１１２、受光器１１４、映像信号処理回路（処理部）１１６、画像メモリ１１８、映像信号出力回路１２０、及び操作パネル（操作部）１２４を備える。
【００１７】
光源１０２は、ＣＰＵ１０８の駆動制御に従い、患者の体腔内に投与された薬剤を励起する励起光を光分波合波器１０４に射出する。光分波合波器１０４は、光コネクタ１５２とダンパ１０６とに接続され、受光した励起光を光コネクタ１５２を介して共焦点プローブ２００に射出する。ダンパ１０６は、光源１０２から射出された励起光を無反射終端する。励起光が観察対象に照射されると、観察対象は蛍光を発し、蛍光は共焦点プローブ２００に入射する。共焦点プローブ２００に入射した蛍光が光コネクタ１５２を介して光分波合波器１０４に入射する。共焦点プローブ２００については後に詳述する。光分波合波器１０４は、プロセッサ内光ファイバ１１２を介して受光器１１４に蛍光を射出する。受光器１１４の後段に設けられた映像信号処理回路１１６及び映像信号出力回路１２０は、受光器１１４に入射した蛍光に基づいて画像を作成し、モニタ３００に送信する。モニタ３００は画像を動画として表示する。操作パネル１２４は複数のスイッチを備える。観察者はこれらのスイッチを操作して、プロセッサ１００に様々な命令を入力する。観察者が入力した命令はＣＰＵ１０８に送信され、ＣＰＵ１０８は命令に応じて動作する。
【００１８】
共焦点プローブ２００は、プローブ内光ファイバ２０２、共焦点光学ユニット２０４、サブＣＰＵ２０６、サブメモリ２０８、及び走査ドライバ２１０を備える。
【００１９】
プローブ内光ファイバ２０２の一端は、光コネクタ１５２を介して光分波合波器１０４と接続され、光分波合波器１０４を介した励起光が入射する。プローブ内光ファイバ２０２の他端は、共焦点光学ユニット２０４に接続される。共焦点光学ユニット２０４は、共焦点プローブ２００の先端部に組み込まれる。励起光は、プローブ内光ファイバ２０２を介してプローブ内光ファイバ２０２の先端から観察対象に向けて射出される。サブＣＰＵ２０６は、電気コネクタ１５４を介してＣＰＵ１０８と電気的に接続され、サブメモリ２０８を一時記憶装置として使用しながら、ＣＰＵ１０８からの信号に応じて走査ドライバ２１０を制御する。走査ドライバ２１０は、サブＣＰＵ２０６からの制御に応じて、共焦点光学ユニット２０４を駆動する。
【００２０】
次に、図２を用いて共焦点光学ユニット２０４について概説する。以下、共焦点光学ユニット２０４の長手方向をＺ方向と定義し、Ｚ方向に直交しかつ互いに直交する二方向をＸ方向、Ｙ方向と定義する。共焦点光学ユニット２０４は、共焦点光学ユニット２０４の各種構成部品を収容する金属製の外筒２０４Ａを有する。
【００２１】
外筒２０４Ａは、外筒２０４Ａの内壁面形状に対応する外壁面形状を持つ内筒２０４Ｂを同軸方向（Ｚ方向）へ進退自在となるように保持する。プローブ内光ファイバ２０２の先端（以下、符号「２０２ａ」を付す。）は、内筒２０４Ｂに収容されており、観察対象に向けて励起光を射出する。先端２０２ａの位置は、ＣＰＵ１０８による制御に従って周期的に変化する。先端２０２ａの位置変化については後述する。
【００２２】
図１に示すように、サブメモリ２０８は、共焦点プローブ２００の識別情報等のプローブ情報を格納する。サブＣＰＵ２０６は、システム起動時にサブメモリ２０８からプローブ情報を読み出し、電気コネクタ１５４を介してＣＰＵ１０８に送信する。ＣＰＵ１０８は、送信されたプローブ情報をＣＰＵメモリ１１０に格納する。ＣＰＵ１０８は、格納したプローブ情報を必要時に読み出して共焦点プローブ２００の制御に必要な信号を生成して、サブＣＰＵ２０６に送信する。サブＣＰＵ２０６は、ＣＰＵ１０８から送信された制御信号に従って走査ドライバ２１０に必要な設定値を送信する。
【００２３】
走査ドライバ２１０は、受信した設定値に応じたドライブ信号を生成して、二軸アクチュエータ（駆動部材）２０４Ｃを駆動制御する。二軸アクチュエータ２０４Ｃは、走査ドライバ２１０と接続された一対のＸ軸用電極と一対のＹ軸用電極とを圧電体上に形成した圧電アクチュエータであって、先端２０２ａ付近のプローブ内光ファイバ２０２の外周面に接着固定される。
【００２４】
走査ドライバ２１０及び二軸アクチュエータ２０４Ｃについて詳細に説明する。走査ドライバ２１０は、交流電圧Ｘを二軸アクチュエータ２０４ＣのＸ軸用電極間に印加して圧電体をＸ方向に共振させると共に、交流電圧Ｘと同一周波数であって位相が直交する交流電圧ＹをＹ軸用電極間に印加して圧電体をＹ方向に共振させる。交流電圧Ｘ、Ｙはそれぞれ、振幅が時間に比例して線形に増加し、所定の時間をかけて実効値に達する電圧として定義される。プローブ内光ファイバ２０２の先端２０２ａは、二軸アクチュエータ２０４ＣによるＸ方向、Ｙ方向への運動エネルギーが合成されることにより、Ｘ−Ｙ平面に近似する面（以下、「ＸＹ近似面」と記す。）上において中心軸ＡＸを中心に渦巻状のパターンを描くように回転する。中心軸ＡＸは、後述する対物光学系２０４Ｄの光軸である。先端２０２ａの回転軌跡は、印加電圧に比例して大きくなり、実効値の交流電圧が印加された時点で最も大きい径を有する円の軌跡を描く。励起光はパルス光又は連続光であり、二軸アクチュエータ２０４Ｃへの交流電圧の印加開始直後から印加停止までの期間中に、プローブ内光ファイバ２０２の先端２０２ａから射出される。
【００２５】
プローブ内光ファイバ２０２の先端２０２ａの前方には、対物光学系２０４Ｄが設置される。対物光学系２０４Ｄは、複数枚の光学レンズで構成されており、図示省略されたレンズ枠を介して外筒２０４Ａに保持されている。レンズ枠は、外筒２０４Ａの内部において、内筒２０４Ｂと相対的に固定され支持されている。そのため、レンズ枠に保持された光学レンズ群は、外筒２０４Ａの内部を内筒２０４ＢとともにＺ方向にスライドする。
【００２６】
内筒２０４Ｂの基端面と外筒２０４Ａの内壁面との間には、圧縮コイルばね２０４Ｅ及び形状記憶合金２０４Ｆが取り付けられている。圧縮コイルばね２０４Ｅは、自然長からＺ方向に初期的に圧縮狭持されている。形状記憶合金２０４Ｆは、Ｚ方向に長尺な棒形状を持ち、常温下で外力が加わると変形して、一定温度以上に加熱されると形状記憶効果で所定の形状に復元する性質を有している。形状記憶合金２０４Ｆは、形状記憶効果による復元力が圧縮コイルばね２０４Ｅの復元力より大きくなるように設計されている。走査ドライバ２１０は、サブＣＰＵ２０６が指定した設定値に応じたドライブ信号を生成して、形状記憶合金２０４Ｆを通電し加熱して伸縮量を制御する。形状記憶合金２０４Ｆは、伸縮量に応じて内筒２０４Ｂをプローブ内光ファイバ２０２ごとＺ方向に進退させる。
【００２７】
プローブ内光ファイバ２０２の先端２０２ａから射出された励起光は、対物光学系２０４Ｄを透過して被写体の表面又は表層でスポットを形成する。スポット形成位置は、点光源である先端２０２ａの進退に応じてＺ方向に変位する。すなわち、共焦点光学ユニット２０４は、二軸アクチュエータ２０４Ｃによる先端２０２ａのＸＹ近似面上の周期的な円運動とＺ方向の進退を併せることで、被写体を三次元走査する。
【００２８】
プローブ内光ファイバ２０２の先端２０２ａは、初期状態において、対物光学系２０４Ｄの前側焦点位置に配置され、共焦点ピンホールとして機能する。先端２０２ａには、励起光により励起された被写体の散乱成分（蛍光）のうち先端２０２ａと光学的に共役な集光点からの蛍光のみが入射する。蛍光は、プローブ内光ファイバ２０２を伝送後、光コネクタ１５２を通過して光分波合波器１０４に入射する。光分波合波器１０４は、入射した蛍光を光源１０２から射出される励起光と分離してプロセッサ内光ファイバ１１２に導く。蛍光は、プロセッサ内光ファイバ１１２を伝送して受光器１１４で検出される。受光器１１４は、例えば光電子増倍管等の高感度光検出器であって、微弱な光を低ノイズで検出し、検出信号を映像信号処理回路１１６に送信する。
【００２９】
映像信号処理回路１１６は、検出信号を一定のレートでサンプルホールド及びＡＤ変換してデジタル検出信号を得る。観察領域（走査領域）内におけるスポット形成位置、及び当該スポット形成位置からの戻り光を検出する信号取得タイミングは、プローブ内光ファイバ２０２の先端２０２ａの位置（軌跡）に対して略一義的に決まる。ＣＰＵメモリ１１０は、信号取得タイミングと画素位置（画素アドレス）とを関連付けたリマップテーブルを格納する。
【００３０】
映像信号処理回路１１６は、リマップテーブルを参照し、各デジタル検出信号により表現される点像を信号取得タイミングに応じて画素アドレスに割り当てる。以下、この割り当て処理をリマッピングと記す。映像信号処理回路１１６は、リマッピングの結果に応じて、各点像の空間的配列によって構成される画像信号を画像メモリ１１８にフレーム単位でバッファリングする。バッファリングされた画像信号は、所定のタイミングで画像メモリ１１８から映像信号出力回路１２０に掃き出される。映像信号出力回路１２０は、その画像信号をＮＴＳＣ（National Television System Committee）やＰＡＬ（PhaseAlternating Line）等の所定の規格に準拠した映像信号に変換してモニタ３００に出力する。モニタ３００は、被写体の三次元共焦点画像を表示する。これにより、高倍率かつ高解像度の三次元共焦点画像を観察者が参照できる。
【００３１】
また、映像信号処理回路１１６は、モニタ３００に表示されている動画を静止画として図示しないＵＳＢメモリ等に保存する静止画キャプチャ処理、モニタ３００に表示されている動画に含まれるノイズを低減するノイズリダクション処理、モニタ３００に表示されている動画のコントラストを調整するコントラスト調整処理、励起光の光量を調節する光量調整処理等を実行する。
【００３２】
Ｚ方向に進退するプローブ内光ファイバ２０２は、機械的誤差などの原因により、中心軸ＡＸ上を正確に進退できず、中心軸ＡＸに対してＸまたはＹ方向に僅かなずれを生じながら進退する。このずれを補正せずに作成された三次元共焦点画像は、歪みを持つおそれがある。そこで、次に説明する処理を行い、ずれに起因する歪みを補正する。ずれは、中心軸ＡＸ上の位置に応じて予め測定され、ＣＰＵメモリ１１０に記憶される。そして観察中において、映像信号処理回路１１６は、中心軸ＡＸ上におけるプローブ内光ファイバ２０２の位置に基づいてＣＰＵメモリ１１０からずれを読み出し、読み出したずれを考慮して画像を補正する。この処理を歪み補正処理と言う。
【００３３】
歪み補正処理は、映像信号処理回路１１６の処理能力と計算期間とを必要とする。そこで、歪み補正処理を行う期間において、映像信号処理回路１１６は他の処理に関する操作を一時的に受付中止し、あるいは三次元共焦点画像をモニタ３００に表示せずに、歪み補正処理のみを実行する。すなわち、静止画キャプチャ処理、ノイズリダクション処理、コントラスト調整処理、光量調整処理等を歪み補正処理を行う期間に実行していた場合、これらを一時的に中止し、そして三次元共焦点画像をモニタ３００に表示せずに、歪み補正処理のみを優先して実行する。三次元共焦点画像をモニタ３００に表示しないことにより、歪みを含むおそれのある画像を観察者が見ることを防止できる。また、映像信号処理回路１１６が他の処理に関する操作、例えば静止画キャプチャを一時的に受付中止することにより、歪みを含むおそれのある画像を観察者が使用して診断を行うことを防止できる。また、映像信号処理回路１１６が他の処理に関する操作を一時的に受付中止するため、他の処理を実行する場合に必要な処理能力と計算期間とを、歪み補正処理に割くことができる。これにより、歪み補正処理を迅速に実行できる。ここで、歪み補正処理を行う期間とは、映像信号処理回路１１６が、中心軸ＡＸ上におけるプローブ内光ファイバ２０２の位置を取得してから、画像を補正し終わるまでの期間をいう。
【００３４】
次に図３を用いて表示処理について説明する。表示処理はプロセッサ１００によって実行される処理であって、観察者が中心軸ＡＸ上においてプローブ内光ファイバ２０２を移動させる旨の命令を操作パネル１２４を介して入力したときに実行される。
【００３５】
初めのステップＳ３１では、ＣＰＵ１０８が操作パネル１２４を無効モードに設定する。これにより、観察者が操作パネル１２４を操作しても、ＣＰＵ１０８は操作に対応した動作を行わない。
【００３６】
次のステップＳ３２では、モニタ３００に画像を表示せず、歪み補正処理を行っている旨を表示する。この表示により、術者は、視覚的に操作ができない期間、換言すれば補正処理が行われている期間であることを認識することができる。ここで、画像を非表示とする代わりに、既に表示されている画像をそのまま表示し続けて更新しない構成を採用することもできる。
【００３７】
次のステップＳ３３では、静止画キャプチャ処理、ノイズリダクション処理、コントラスト調整処理、光量調整処理等を実行していた場合、これらを一時的に中止する。
【００３８】
次のステップＳ３４では、プローブ内光ファイバ２０２が中心軸ＡＸ上において移動を完了したか、すなわち中心軸ＡＸ上において停止したか否かを判断する。停止した場合、処理はステップＳ３５に進み、停止していない場合、ステップＳ３４を繰り返す。
【００３９】
ステップＳ３５では、中心軸ＡＸ上におけるプローブ内光ファイバ２０２の位置、より正確には先端２０２ａの位置を取得する。付け加えるならば、先端２０２ａは対物光学系２０４Ｄと相対的に移動する。従って、先端２０２ａの位置取得はすなわち対物光学系２０４Ｄの位置取得とも言える。位置の取得処理は、例えば、上記位置を取得できる位置センサ等を内視鏡システム１が搭載している場合、位置センサ等が取得した位置を取得する。位置センサ等を搭載していない場合、内視鏡システム１は、プローブ内光ファイバ２０２のホーム(スタート)位置からの移動量を知っているため、その移動量から現在位置を算出する。
【００４０】
次のステップＳ３６では、映像信号処理回路１１６が、中心軸ＡＸ上におけるプローブ内光ファイバ２０２の位置に基づいてＣＰＵメモリ１１０から補正データを読み出す。
【００４１】
次のステップＳ３７では、映像信号処理回路１１６が、読み出した補正データを考慮して画像を補正する。
【００４２】
次のステップＳ３８では、補正が終了したか否かを判断する。補正が終了した場合、処理はステップＳ３９に進み、終了していない場合、ステップＳ３８を繰り返す。
【００４３】
ステップＳ３９では、ステップＳ３３において停止した静止画キャプチャ処理、ノイズリダクション処理、コントラスト調整処理、光量調整処理等を再開する。
【００４４】
次のステップＳ４０では、モニタ３００に画像を表示する。より詳しくは、ステップＳ３２で表示していた文字列が非表示とされ、その代替で補正後の画像が表示される。
【００４５】
次のステップＳ４１では、ＣＰＵ１０８が操作パネル１２４を有効モードに設定する。これにより、観察者による操作パネル１２４の操作に応じて、ＣＰＵ１０８が動作する。そして処理が終了する。
【００４６】
本実施形態によれば、プローブ内光ファイバ２０２の先端２０２ａと中心軸ＡＸとのずれが常に補正された歪みのない三次元共焦点画像をモニタ３００に表示できる。観察者は、歪みがない画像を見ることにより、患部を正確に把握し、あるいは正常な部位を患部と誤って認識したりすることがない。また、歪み補正処理を実行している期間に他の処理を実行しないため、映像信号処理回路処理能力を全て歪み補正処理に割くことができる。これにより、歪み補正処理を迅速に実行でき、歪み補正処理を実行する期間を短縮できる。
【００４７】
なお、内視鏡装置は、光走査型内視鏡でなくてもよく、共焦点効果を利用する内視鏡であればよい。すなわち光走査型共焦点内視鏡でなくてもよく、共焦点内視鏡であればよい。
【００４８】
なお、共焦点プローブ２００は、プローブ形態に限定されず、内視鏡等の形態であってもよい。
【００４９】
なお、静止画キャプチャ処理、ノイズリダクション処理、コントラスト調整処理、光量調整処理等の中止と、モニタ３００による三次元共焦点画像の表示とは、同時に行われてもよく、どちらか一方のみを行ってもよい。
【００５０】
なお、補正データは、ずれに限定されない。画像を補正するために必要な情報であればよい。
【００５１】
なお、歪み補正処理を行う期間は、中心軸ＡＸ上においてプローブ内光ファイバ２０２が移動を開始してから、画像を補正し終わるまでの期間であってもよい。
【００５２】
なお、歪み補正処理を行う期間は、中心軸ＡＸ上においてプローブ内光ファイバ２０２が移動を開始してから移動を終えるまでの期間であってもよい。映像信号処理回路１１６は、移動を終えるまでに移動の目標位置を取得し、目標位置に基づいてＣＰＵメモリ１１０からずれを読み出し、読み出したずれを考慮して画像を補正する。
【００５３】
内視鏡システム１が、操作パネル１２４の他にユーザインターフェースを備えてもよい。この場合、表示処理のステップＳ３１において、操作パネル１２４に加えて、他のユーザインターフェースを無効にしてもよい。これにより、観察者が操作パネル１２４や他のユーザインターフェースを操作しても、ＣＰＵ１０８は操作に対応した動作を行わない。そして、表示処理のステップＳ４１において、ＣＰＵ１０８が操作パネル１２４や他のユーザインターフェースを有効モードに設定してもよい。これにより、観察者による操作パネル１２４や他のユーザインターフェースの操作に応じて、ＣＰＵ１０８が動作する。
【００５４】
なお、本実施形態では励起光を用いて画像を作成するとして説明したが、光源１０２が通常光を発光して、この通常光を観察対象に照射し、観察対象からの反射光を用いて画像を作成してもよい。
【符号の説明】
【００５５】
１      内視鏡システム
１００  プロセッサ
１０２  光源
１０４  光分波合波器
１０６  ダンパ
１０８  ＣＰＵ
１１０  ＣＰＵメモリ
１１２  プロセッサ内光ファイバ
１１４  受光器
１１６  映像信号処理回路
１１８  画像メモリ
１２０  映像信号出力回路
１２４  操作パネル
１５２  光コネクタ
１５４  電気コネクタ
２００  共焦点プローブ
２０２  プローブ内光ファイバ
２０４  共焦点光学ユニット
２０４Ａ  外筒
２０４Ｂ  内筒
２０４Ｃ  二軸アクチュエータ
２０４Ｄ  対物光学系
２０４Ｆ  形状記憶合金
２０６  サブＣＰＵ
２０８  サブメモリ
２１０  走査ドライバ
３００  モニタ
【図１】
2015077199.tif 000003
【図２】
2015077199.tif 000004
【図３】
2015077199.tif 000005